(57)【特許請求の範囲】
【請求項１】
洗い場に形成された凹状の排水受部に収容され、前記排水受部の底部に形成された排水口を覆う樹脂製の化粧板部と、
前記化粧板部に形成され、前記洗い場側から前記排水口側へ貫通する貫通孔と、
前記化粧板部の前記排水口側の前記貫通孔周辺に形成され、前記化粧板部の板厚方向に沿った断面において前記板厚方向に対して傾斜する側壁面と、
前記側壁面により形成され、前記化粧板部の板厚が前記貫通孔に向かって薄くなる窪みと、
を有する排水口用化粧蓋。
【請求項２】
前記化粧板部の前記貫通孔を構成する周壁面の前記排水口側の端部と前記窪みの側壁面の前記洗い場側の端部とが連結されている請求項１に記載の排水口用化粧蓋。
【請求項３】
前記化粧板部には、前記貫通孔とともに前記窪みが複数形成され、
互いに隣り合う前記窪みの側壁面の前記排水口側の端部同士が連結されている請求項１または請求項２に記載の排水口用化粧蓋。
【請求項４】
前記貫通孔は、長孔であり、
化粧板部には、前記長孔とともに前記窪みが少なくとも前記長孔の幅方向に沿って複数形成され、
前記幅方向に互いに隣り合う前記窪みの間に該窪みの底よりも前記排水口側へ凸となり且つ前記長孔の長手方向に延びる突条が形成されている請求項１または請求項２に記載の排水口用化粧蓋。
【請求項５】
前記幅方向に互いに隣り合う前記窪みの側壁面の前記排水口側の端部同士が連結されている請求項４に記載の排水口用化粧蓋。
【請求項６】
前記化粧板部の前記排水口側には、前記長孔の幅方向に沿って直線状に延びると共に前記排水口側に突出するリブが１本のみ形成されている請求項４または請求項５に記載の排水口用化粧蓋。
【発明の詳細な説明】
【技術分野】
【０００１】
本発明は、洗い場の排水口を覆う排水口用化粧蓋に関する。
【背景技術】
【０００２】
ユニットバスの中には、洗い場床面に設けられた凹状の排水受部の底部に排水口が形成され、この排水口を排水受部に嵌め込んだ蓋で覆うタイプのものがある（例えば、特許文献１、２）。
【０００３】
特許文献１には、洗い場床面の排水受部に嵌め込まれて排水口を覆う合成樹脂製の排水目皿が開示されている。この排水目皿には、表面（洗い場側の面）から裏面（排水口側の面）へ貫通する排水小孔が複数形成されており、排水受部の側壁と排水目皿との隙間から排水が排水口へ流れるのに加えて、排水小孔を通して排水が排水口へ流れるようになっている。このように、複数個の排水小孔を形成した場合、排水目皿の強度が低下するため、排水目皿の裏面には、排水小孔を複数個ずつに区分けるように板状の補強リブが複数立設されている。
【０００４】
一方、特許文献２には、洗い場床面の排水受部に嵌め込まれて排水口を覆う上蓋が開示されている。この上蓋には、表面（洗い場側の面）に排水用の孔が形成されず、排水受部の側壁と上蓋との隙間から排水が排水口へ流れるようになっている。
【先行技術文献】
【特許文献】
【０００５】
【特許文献１】実開昭６３−１５６２６１号公報
【特許文献２】特開２００７−１７７５４２号公報
【発明の概要】
【発明が解決しようとする課題】
【０００６】
ところで、特許文献１の排水目皿のように、裏面に補強リブを複数設けると、これらの補強リブが裏面清掃の妨げとなり、清掃作業がしにくくなる（清掃性が低下する）。
【０００７】
一方、特許文献２の上蓋のように、排水用の孔が形成されない場合は、補強リブなどで補強する必要がないため裏面清掃が容易になる。しかし、急激に多量の排水が排水口側へ流れ込んだ場合、排水受部の側壁と上蓋との隙間からの排水だけでは排水流量が足りずに洗い場床面に排水が溢れ、上蓋裏面側に残留した空気により、上蓋が窪みから浮き上がりやすくなる。
【０００８】
本発明は、排水流量を確保しつつ排水時の浮き上がりを抑制し、清掃性を向上させることを課題とする。
【課題を解決するための手段】
【０００９】
請求項１に記載の排水口用化粧蓋は、洗い場に形成された凹状の排水受部に収容され、前記排水受部の底部に形成された排水口を覆う樹脂製の化粧板部と、前記化粧板部に形成され、前記洗い場側から前記排水口側へ貫通する貫通孔と、前記化粧板部の前記排水口側の前記貫通孔周辺に形成され、前記化粧板部の板厚方向に沿った断面において前記板厚方向に対して傾斜する側壁面と、前記側壁面により形成され、前記化粧板部の板厚が前記貫通孔に向かって薄くなる窪みと、を有する。
【００１０】
請求項１に記載の排水口用化粧蓋では、化粧板部に、洗い場側から排水口側へ貫通する貫通孔、すなわち、洗い場側と排水口側とを連通する貫通孔を形成している。洗い場の排水は、排水受部と化粧板部との隙間及び上記貫通孔を通って排水口へ流れるため、例えば、化粧板部に上記のような貫通孔が形成されないものと比べて、洗い場から排水口への排水流量を確保することができる。
【００１１】
一方、急激に多量の排水が排水受部に流れ込んで該排水が排水受部から溢れ出す場合に、排水口側の空気が化粧板部の貫通孔を通って洗い場側へ抜け出るため、例えば、化粧板部に上記のような貫通孔が形成されないものと比べて、化粧板部の排水口側に残留する空気量を減らすことができ、排水受部からの化粧板部（すなわち、排水口用化粧蓋）の浮き上がりを抑制することできる。
【００１２】
特に、上記排水口用化粧蓋では、傾斜板部の排水口側に、化粧板部の板厚方向に沿った断面（すなわち、化粧板部を該化粧板部の板厚方向に沿って切断した断面）において側壁面での化粧板部の板厚が貫通孔に向かって薄くなる窪みを形成していることから、上記のように急激に多量の排水が排水受部に流れ込んだ場合、排水口側の空気が窪みの上記側壁面に案内されて窪みの底側へ送られ、窪みの底に開口する貫通孔を通って洗い場側へ抜け出る。すなわち、上記窪みにより、化粧板部の排水口側に空気が残留しにくくなる。
従って、排水時に化粧板部の排水口側に残留する空気量をさらに減らすことができ、排水受部からの浮き上がりを効果的に抑制することができる。
【００１３】
また、上記排水口用化粧蓋では、窪みは、側壁面での化粧板部の板厚が貫通孔に向かって薄くなることから、例えば、側壁面での化粧板部の板厚が貫通孔に向かって薄くならないもの（例えば、側壁面が化粧板部の板厚方向に沿って延在しているもの）と比べて、清掃用具などを窪みに入れやすく、清掃作業がしやすくなる（清掃性が向上する）。
【００１４】
なお、上記排水口用化粧蓋では、化粧板部の排水口側に窪みを形成していることから、化粧板部の洗い場側の表面の美観を損なわずに、樹脂材料の低減による化粧板部の軽量化、並びにコストダウンを図ることができる。
【００１５】
以上のように、上記排水口用化粧蓋によれば、排水流量を確保しつつ排水時の浮き上がりを抑制し、清掃性を向上させることができる。
【００１６】
請求項２に記載の排水口用化粧蓋は、請求項１に記載の排水口用化粧蓋において、前記化粧板部の前記貫通孔を構成する周壁面の前記排水口側の端部と前記窪みの側壁面の前記洗い場側の端部とが連結されている。
【００１７】
請求項２に記載の排水口用化粧蓋では、化粧板部の貫通孔を構成する周壁面の排水口側の端部と窪みの側壁面の洗い場側の端部とが連結されていることから、急激に多量の排水が排水受部に流れ込んだ場合、排水口側の空気は、窪みの側壁面によって貫通孔まで案内されて洗い場側へ抜け出る。このため、窪みの排水口側から貫通孔の洗い場側までの間に空気がさらに残留しにくくなる。
従って、排水時に化粧板部の排水口側に残留する空気量をさらに減らすことができる。
【００１８】
請求項３に記載の排水口用化粧蓋は、請求項１または請求項２に記載の排水口用化粧蓋において、前記化粧板部には、前記貫通孔とともに前記窪みが複数形成され、互いに隣り合う前記窪みの側壁面の前記排水口側の端部同士が連結されている。
【００１９】
請求項３に記載の排水口用化粧蓋では、互いに隣り合う窪みの側壁面の排水口側の端部同士が連結されていることから、化粧板部の排水口側の大部分が窪みとなり、例えば、互いに隣り合う窪みの側壁面の排水口側の端部同士が連結されないもの（例えば、水平面を介して端部同士が連結されるもの）と比べて、化粧板部の排水口側に空気が残留しにくくなる。
【００２０】
請求項４に記載の排水口用化粧蓋は、請求項１または請求項２に記載の排水口用化粧蓋において、前記貫通孔は、長孔であり、化粧板部には、前記長孔とともに前記窪みが少なくとも前記長孔の幅方向に沿って複数形成され、前記幅方向に互いに隣り合う前記窪みの間に該窪みの底よりも前記排水口側へ凸となり且つ前記長孔の長手方向に延びる突条が形成されている。
【００２１】
請求項４に記載の排水口用化粧蓋では、化粧板部には、長孔とともに窪み部が少なくとも長孔の幅方向に沿って複数形成され、該幅方向に互いに隣り合う窪みの間に窪みの底よりも排水口側へ凸となり且つ長孔の長手方向に延びる突条が形成されている。この突条により、化粧板部は、窪み形成による樹脂材料の低減を図りつつ、上記長手方向の曲げ剛性を確保することができる。
【００２２】
請求項５に記載の排水口用化粧蓋は、請求項４に記載の排水口用化粧蓋において、前記幅方向に互いに隣り合う前記窪みの側壁面の前記排水口側の端部同士が連結されている。
【００２３】
請求項５に記載の排水口用化粧蓋では、長孔の幅方向に互いに隣り合う窪みの側壁面の排水口側の端部同士が連結されていることから、化粧板部の排水口側の大部分が窪みとなり、例えば、互いに隣り合う窪みの側壁面の排水口側の端部同士が連結されないもの（例えば、水平面を介して端部同士が連結されるもの）と比べて、化粧板部の排水口側に空気が残留しにくくなる。
【００２４】
また、長孔の幅方向に互いに隣り合う窪みの間に形成される上記突条は、排水口側へ凸となり且つ長孔の幅方向の両壁面が該幅方向に互いに隣り合う窪みの側壁面により構成されることから、両壁面に付着した排水が該壁面を伝って排水口側へ流れ落ちやすい。このため、排水口用化粧蓋の水切り性が向上する。
【００２５】
請求項６に記載の排水口用化粧蓋は、請求項４または請求項５に記載の排水口用化粧蓋において、前記化粧板部の前記排水口側には、前記長孔の幅方向に沿って直線状に延びると共に前記排水口側に突出するリブが１本のみ形成されている。
【００２６】
請求項６に記載の排水口用化粧蓋では、化粧板部には、上記突条が形成されると共に、長孔の幅方向に沿って直線状に延びると共に排水口側に突出するリブが１本のみ形成されている。この化粧板部は、上記突条により長孔の長手方向の曲げ剛性が確保され、上記リブにより上記幅方向の曲げ剛性が確保される。これにより、排水口用化粧蓋が例えば、洗い場側からの外力によって塑性変形させられるのが抑制される。
【００２７】
なお、化粧板部にリブを２本以上形成した場合には、リブ間に空気が残留しやすくなる虞があるが、化粧板部に形成するリブを１本のみとすることで、上記のような空気の残留を防止しつつ、排水口用化粧蓋の塑性変形を抑制することができる。
【発明の効果】
【００２８】
以上説明したように、本発明の排水口用化粧蓋によれば、排水流量を確保しつつ排水時の浮き上がりを抑制し、清掃性を向上させることができる。
【図面の簡単な説明】
【００２９】
【図１】本発明の第１実施形態に係る排水口用化粧蓋が用いられる浴室を斜め上方から見下ろした斜視図である。
【図２】本発明の第１実施形態に係る排水口用化粧蓋を、洗い場の排水受部に設置した状態を示す、排水受部周辺の断面図である。
【図３】本発明の第１実施形態に係る排水口用化粧蓋を裏返しにして、該化粧蓋の裏面を斜め上方から見下ろした斜視図である。
【図４】図３の排水口用化粧蓋を直線４Ｚに沿って切断した切断面を斜め上方から見下ろした斜視図である。
【図５】図４の排水口用化粧蓋の切断面を矢印５Ｚ方向で見た断面図である。
【図６】本発明の第２実施形態に係る排水口用化粧蓋の裏面を斜め上方から見下ろした斜視図である。
【図７】本発明の第３の実施形態に係る排水口用化粧蓋の裏面の一部を斜め上方から見下ろした斜視図である。
【図８】図７の排水口用化粧蓋を８Ｚ−８Ｚ線に沿って切断した切断面を正面から見た断面図である。
【図９】本発明のその他の実施形態に係る排水口用化粧蓋の裏面の一部を斜め上方から見下ろした斜視図である。
【図１０】図９の排水口用化粧蓋を１０Ｚ−１０Ｚ線に沿って切断した切断面を正面から見た断面図である。
【発明を実施するための形態】
【００３０】
以下、本発明の第１実施形態に係る排水口用化粧蓋１０について図面を参照しながら説明する。
【００３１】
（第１実施形態）
排水口用化粧蓋１０（以下、単に「化粧蓋１０」と記載。）は、図１に示す浴室９０の洗い場９２に設けられる排水口９８に適用される。
【００３２】
図１に示すように、浴室９０は、洗い場９２と浴槽９４とを含んで構成されている。洗い場９２の床面９２Ａには、浴槽９４との境界近傍に凹状の排水受部９６が形成されている（図２参照）。
【００３３】
洗い場９２の床面９２Ａは、排水受部９６に向かって高さが低くなるように緩やかに傾斜している。この傾斜により、床面９２Ａ上の排水が排水受部９６へ向かって流れるようになっている。
【００３４】
図２に示すように、排水受部９６の底部９６Ａには、排水口９８が形成されている。この排水口９８は、洗い場９２から排水受部９６内に流れ込んだ排水を図示しない排水管を通して下水へと流すためのものである。
【００３５】
また、図示省略しているが、排水口９８には、洗い場からの排水に含まれる異物（例えば、毛髪など）を捕集するためのヘアキャッチャーが着脱自在に取付けられている。
【００３６】
図１、図２に示すように、排水受部９６には、排水口９８を洗い場９２や浴槽９４から遮蔽する（すなわち、目隠しする）ための化粧蓋１０が設置されている。
【００３７】
化粧蓋１０は、排水受部９６に収容されて排水口９８を覆う厚肉板状の化粧板部１２と、この化粧板部１２の裏面１２Ｂ側（排水口９８側）に形成されて排水口９８側へ突出し排水受部９６の底部９６Ａ上に載置される円柱状の複数の脚部１４とを含んで構成されている。この脚部１４は、排水受部９６の底部９６Ａ上に載置されて化粧板部１２を支持するようになっている。
【００３８】
図２に示すように、本実施形態の排水受部９６は、平面視で略矩形状（角部が丸められているものも含む）とされている。このため、本実施形態の化粧板部１２も、排水受部９６の形状に合せて平面視で略矩形状とされている。
また、図３に示すように、脚部１４は、化粧板部１２の各角部近傍及び４辺の中央近傍にそれぞれ形成されている（合計８箇所）。
【００３９】
なお、化粧板部１２の形状は、排水受部９６に収容されるため、排水受部９６の形状に合わせることが、見栄えの観点からは好ましい。
【００４０】
図２に示すように、化粧板部１２の洗い場９２側の表面１２Ａは、平坦状とされている。なお、排水受部９６に化粧蓋１０が設置された状態において、化粧板部１２の表面１２Ａは、洗い場９２の床面９２Ａと略面一となるように、脚部１４の高さが設定されている。このように、表面１２Ａと床面９２Ａを略面一とすることで、洗い場９２に段差が形成されるのを防止することができる。
【００４１】
図３、図４に示すように、化粧板部１２には、洗い場９２側の表面１２Ａから裏面１２Ｂ側（排水口９８側）へ貫通する貫通孔１６が複数形成されている。
【００４２】
貫通孔１６は、スリット状の長孔とされ、化粧板部１２に長孔の長手方向（図３中では、矢印Ｘ方向）に対して直交する長孔の幅方向（図３中では、矢印Ｙ方向）に間隔をあけて複数形成されている。具体的には、本実施形態の貫通孔１６は、上記幅方向Ｙ（以下、単に「幅方向Ｙ」と記載。）を行方向、上記長手方向Ｘを列方向とした場合に、６行２列の合計１２箇所に形成されている。
【００４３】
また、本実施形態では、図３に示すように、略矩形状の化粧板部１２の中心線Ｌ１と上記幅方向Ｙとが平行とされ、化粧板部１２の中心線Ｌ２と上記長手方向Ｘとが平行とされており、貫通孔１６は、化粧板部１２の中心線Ｌ１に対して左右対称でかつ、中心線Ｌ２に対して左右対称に配置されている。
【００４４】
なお、本発明のその他の実施形態では、貫通孔１６の配置や個数が本実施形態と異なっていても構わない。
【００４５】
また、本実施形態の貫通孔１６は、図３、図４に示すように、上記長手方向Ｘの両端部が上記長手方向Ｘの外側へ凸となる半円状とされ、上記幅方向Ｙの両側部が互いに平行に上記長手方向Ｘに延びている。
【００４６】
なお、本実施形態では、貫通孔１６を上記のような形状の長孔としているが、洗い場９２からの排水を排水口９８側へ流すことができる貫通孔であれば、どのような形状のものでも構わない。例えば、円形の貫通孔でも、多角形の貫通孔でもよい。
【００４７】
また、図３〜５に示すように、化粧板部１２の裏面１２Ｂ側（排水口９８側）の貫通孔１６周辺には、窪み１８が形成されている。
【００４８】
窪み１８は、化粧板部１２の板厚方向Ｔ（図５参照）に沿った断面において、側壁面での化粧板部１２の板厚（図５中の板厚方向Ｔに沿った厚み）が貫通孔１６に向かって薄くなっている。具体的には、側壁面が貫通孔１６に向かって化粧板部１２の板厚を薄くするように傾斜している。なお、上記側壁面は、貫通孔１６に向かって化粧板部１２の板厚が漸減するように傾斜するものも含む。
なお、本実施形態の窪み１８は、図３、図５に示すように、断面形状が略台形状とされている。以下では、窪み１８の上記長手方向Ｘに対向する側壁面を側壁面２０、上記幅方向Ｙに対向する側壁面を側壁面２２と呼ぶ。
【００４９】
図５に示すように、化粧板部１２の貫通孔１６を構成する周壁面の排水口９８側の端部１２Ｃは、化粧板部１２の窪み１８を構成する側壁面２０の洗い場９２側の端部２０Ａに連結されている。すなわち、貫通孔１６を構成する周壁面と窪み１８を構成する側壁面２０とが上記端部１２Ｃ（または上記端部２０Ａ）の位置で交わり、貫通孔１６の周壁面と上記側壁面２０とが連続している。
また、上記端部１２Ｃは、窪み１８を構成する側壁面２２の洗い場９２側の端部２２Ａに連結されている。すなわち、貫通孔１６を構成する周壁面と窪み１８を構成する側壁面２２とが上記端部１２Ｃ（または上記端部２２Ａ）の位置で交わり、貫通孔１６の周壁面と上記側壁面２２とが連続している。
【００５０】
一方、化粧板部１２には、上記幅方向Ｙに互いに隣り合う窪み１８との間に、窪み１８の底よりも排水口９８側へ凸となり、上記長手方向Ｘに延びる突条２６が形成されている。この突条２６は、断面形状が略三角形状とされ、両側壁面が上記幅方向Ｙに互いに隣り合う窪み１８の側壁面２２によって構成されている。
また、上記幅方向Ｙに互いに隣り合う窪み１８の側壁面２２の排水口９８側の端部同士が連結されている。すなわち、一方の窪み１８の側壁面２２と他方の窪み１８の側壁面２２とが突条２６の突起先端の位置で交わり、一方の窪み１８の側壁面２２と他方の窪み１８の側壁面２２とが連続している。
【００５１】
また、化粧板部１２には、上記長手方向Ｘに互いに隣り合う窪み１８との間に、窪み１８の底よりも排水口９８側へ凸となり、上記幅方向Ｙに延びる突条２８が形成されている。この突条２８は、断面形状が略三角形状とされ、両側壁面が上記長手方向Ｘに互いに隣り合う窪み１８の側壁面２０によって構成されている。
また、上記長手方向Ｘに互いに隣り合う窪み１８の側壁面２０の排水口９８側の端部同士が連結されている。すなわち、一方の窪み１８の側壁面２０と他方の窪み１８の側壁面２０とが突条２８の突起先端の位置で交わり、一方の窪み１８の側壁面２０と他方の窪み１８の側壁面２０とが連続している。
ここで、図３、図４に示すように、上記突条２８は、上記幅方向Ｙに沿って複数形成されて、一条の連続した突条２９を構成している。
【００５２】
また、本実施形態の化粧蓋１０は、樹脂の一体成型品である。すなわち、化粧板部１２と脚部１４は一体形成されている。なお、化粧蓋１０を形成する樹脂材料としては、例えば、ポリプロピレンにガラス繊維を混ぜたものなどを用いてもよい。
【００５３】
次に、第１実施形態の化粧蓋１０の作用効果について説明する。
図３に示すように、化粧蓋１０では、化粧板部１２に、排水口９８側と洗い場９２側とを連通する貫通孔１６を形成している。このため、洗い場９２の排水は、排水受部９６と化粧板部１２との隙間及び貫通孔１６を通って排水口９８へ流れ、例えば、化粧板部１２に本実施形態の貫通孔１６が形成されないものと比べて、洗い場９２から排水口９８への排水流量を確保することができる。
【００５４】
また、化粧蓋１０では、急激に多量の排水が排水受部９６に流れ込んで該排水が排水受部９６から溢れ出す場合に、排水口９８側の空気が化粧板部１２の貫通孔１６を通って洗い場９２側へ抜け出るため、例えば、化粧板部１２に貫通孔１６が形成されないものと比べて、化粧板部１２の排水口９８側に残留する空気量を減らすことができ、排水受部９６からの浮き上がりを抑制することできる。
【００５５】
特に、化粧蓋１０では、窪み１８の側壁面２０、２２が貫通孔１６へ向かって化粧板部１２の板厚を薄くするように傾斜していることから、上記のように急激に多量の排水が排水受部９６に流れ込んだ場合、排水口９８側の空気が窪み１８の側壁面２０、２２に案内されて窪み１８の底側へ送られ、この窪み１８の底に開口する貫通孔１６を通って洗い場９２側へ抜け出る。すなわち、窪み１８により、化粧板部１２の排水口側に空気が残留しにくくなる。
従って、排水時に化粧板部１２の排水口９８側に残留する空気量をさらに減らすことができ、排水受部９６からの浮き上がりを効果的に抑制することができる。
【００５６】
また、化粧蓋１０では、窪み１８の側壁面２０、２２が貫通孔１６へ向かって化粧板部１２の板厚を薄くするように傾斜していることから、例えば、窪み１８の側壁面２０、２２が化粧板部１２の板厚方向Ｔに沿って延在しているものと比べて、清掃用具などを窪みに入れやすく、清掃作業がしやすくなる（清掃性が向上する）。
【００５７】
従って、化粧蓋１０によれば、排水流量を確保しつつ排水時の浮き上がりを抑制し、清掃性を向上させることができる。
【００５８】
化粧蓋１０では、化粧板部１２の貫通孔１６を構成する周壁面の端部１２Ｃと化粧板部１２の窪み１８を構成する側壁面２０の端部２０Ａ、及び上記端部１２Ｃと化粧板部１２の窪み１８を構成する側壁面２２の端部２２Ａとを連結していることから、急激に多量の排水が排水受部９６に流れ込んだ場合、排水口９８側の空気は、窪み１８の側壁面２０、２２によって貫通孔１６まで直接案内されて洗い場９２側へ抜け出る。つまり、窪み１８の排水口９８側から貫通孔１６の洗い場９２側までの間に空気が残留可能な部分が形成されないため、化粧板部１２の排水口９８側に空気が残留しにくくなる。
従って、排水時に化粧板部１２の排水口９８側に残留する空気量をさらに減らすことができる。
【００５９】
また、化粧蓋１０では、上記幅方向Ｙに互いに隣り合う窪み１８の側壁面２２の排水口側の端部同士が連結され、上記長手方向Ｘに互いに隣り合う窪み１８の側壁面２０の排水口９８側の端部同士が連結されていることから、化粧板部１２の裏面１２Ｂ側（排水口９８側）の大部分が窪み１８となり、例えば、互いに隣り合う窪み１８の側壁面の排水口側の端部同士が連結されないものと比べて、化粧板部１２の排水口９８側に空気が残留しにくくなる。
【００６０】
化粧蓋１０には、化粧板部１２の排水口９８側に窪み１８が形成されることから、化粧板部１２の洗い場９２の美観を損なわずに、樹脂材料を減らして、軽量化及びコストダウンを図ることができる。そして、上記窪み１８によって化粧板部１２には、複数の突条２６及び一条の突条２９が形成されることから、複数の突条２６により上記長手方向Ｘの曲げ剛性が確保され、かつ、突条２９により上記幅方向Ｙの曲げ剛性が確保される。このように、化粧板部１２の剛性が確保されることで、化粧板部１２に洗い場９２側から外力が作用しても、化粧板部１２の塑性変形などが抑制される。よって、化粧蓋１０の耐久性が向上する。
【００６１】
また、上記突条２６は、下方に凸となり、上記幅方向Ｙの両側壁面が互いに隣り合う窪み１８の側壁面２２によって構成されることから、両側壁面に付着した排水が該側壁面を伝って排水口９８側（下方）へ流れ落ちやすい。
同様に、上記突条２８は、下方に凸となり、上記長手方向Ｘの両側壁面が互いに隣り合う窪み１８の側壁面２０によって構成されることから、両側壁面に付着した排水が該側壁面を伝って排水口９８側（下方）へ流れ落ちやすい。
これにより、化粧蓋１０の水切り性が向上する。
【００６２】
（第２実施形態）
次に、本発明の第２実施形態に係る排水口用化粧蓋４０について図面を参照しながら説明する。なお、第１実施形態と同一構成には同一符号を付し、その説明は省略する。
【００６３】
図６に示すように、排水口用化粧蓋４０（以下、単に「化粧蓋４０」と記載。）の化粧板部１２には、貫通孔１６の長手方向Ｘに互いに隣り合う窪み１８との間に、窪み１８の底よりも排水口９８側（脚部１４の突出方向）へ凸となり、上記長手方向Ｘに対して幅方向Ｙに延びる突条４４が形成されている。この突条４４は、断面形状が略台形状とされ、両側の傾斜壁面が上記長手方向Ｘに互いに隣り合う窪み１８の側壁面２０によって構成されている。ここで、図６に示すように、上記突条４４は、上記幅方向Ｙに沿って複数形成されて、一条の連続した突条４５を構成している。
【００６４】
化粧板部１２の裏面１２Ｂ側（排水口９８側）には、上記幅方向Ｙに沿って直線状に延び、且つ脚部１４の突出方向に突出するリブ４６が１本のみ形成されている。具体的には、図６に示すように、リブ４６は、一条の突条４５の下面（頂面）に沿って延びて、両端部が化粧板部１２の中心線Ｌ１上に位置する脚部１４にそれぞれ連結されている。
なお、本実施形態のリブ４６も、化粧板部１２及び脚部１４とともに一体成形されている。
【００６５】
次に、第２実施形態の化粧蓋４０の作用効果について説明する。なお、第２実施形態の化粧蓋４０も第１実施形態と同様の作用効果が得られるため、第１実施形態と同様の作用効果については、その説明を省略する。
【００６６】
化粧蓋１０では、化粧板部１２には、複数の突条２６が形成されると共に１条の突条４５が形成されている。この一条の突条４５の頂面には、この頂面に沿ってリブ４６が１本のみ形成されている。この化粧板部１２は、突条４５により上記長手方向Ｘの曲げ剛性が確保され、突条４５及びリブ４６により上記幅方向Ｙの曲げ剛性が向上する。このように、化粧板部１２の剛性が向上することで、化粧板部１２に洗い場９２側（表面１２Ａ側）から外力が作用しても、化粧板部１２の塑性変形などが効果的に抑制される。よって、化粧蓋１０の耐久性が向上する。
【００６７】
なお、化粧板部１２にリブを２本以上形成した場合には、２本のリブ間に空気が残留し易くなる虞がある。また、清掃性が低下する虞もある。しかし、第２実施形態の化粧蓋４０のように、化粧板部１２に形成するリブを１本のみとすることで、リブ間に空気が残留するのを防止することができ、さらに、清掃性の低下を抑制することができる。
【００６８】
（第３実施形態）
次に、本発明の第３実施形態に係る排水口用化粧蓋５０について図面を参照しながら説明する。なお、第１実施形態と同一構成には同一符号を付し、その説明は省略する。
【００６９】
図７に示すように、排水口用化粧蓋５０（以下、単に「化粧蓋５０」と記載）の化粧板部１２の排水口９８側の貫通孔１６の周辺には、窪み５２が形成されている。
【００７０】
図８に示すように、窪み５２は、側壁面が貫通孔１６に向かって化粧板部１２の板厚を薄くするように傾斜している。なお、本実施形態の窪み５２は、図８に示すように、略台形状とされている。以下では、窪み５２の上記長手方向Ｘに対向する側壁面を側壁面５４、上記幅方向Ｙに対向する側壁面を側壁面５６と呼ぶ。なお、貫通孔１６は、窪み５２の底面５３に開口している。
【００７１】
次に、第３実施形態の化粧蓋５０の作用効果について説明する。なお、第３実施形態の化粧蓋５０も第１実施形態と同様の作用効果が得られるため、第１実施形態と同様の作用効果については、その説明を省略する。
【００７２】
化粧蓋５０の窪み５２は、底面５３に貫通孔１６が開口していることから、第１実施形態の窪み１８よりも、窪みの容積が大きくなっている。すなわち、化粧蓋５０は、窪み５２によって、第１実施形態の化粧蓋１０よりも樹脂材料を低減することができる。これにより、化粧蓋５０の軽量化及びコストダウンをさらに図ることができる。
【００７３】
なお、本実施形態の化粧蓋５０に第２実施形態の突条４４及びリブ４６の構成を適用することもできる。
【００７４】
（その他の実施形態）
第１〜第３実施形態では、化粧板部１２に、側壁面が貫通孔１６に向かって化粧板部１２の板厚を薄くするように傾斜する窪み１８、５２を形成しているが、本発明はこの構成に限定されない。例えば、図９、図１０に示す排水口用化粧蓋６０（以下、単に、「化粧蓋６０」と記載。）のように、化粧板部１２に、側壁面６４が貫通孔１６に向かって化粧板部１２の板厚（図１０中の板厚方向Ｔに沿った厚み）を薄くするように湾曲する窪み６２を形成してもよい。この窪み６２は、断面形状が略半円形状とされている。なお、化粧蓋６０も第１実施形態の化粧蓋１０と同様の作用効果を得ることができる。
【００７５】
前述した各実施形態では、化粧板部１２に、側壁面が貫通孔１６に向かって化粧板部１２の板厚を薄くするように傾斜（直線状）又は湾曲（円弧曲線状）する窪みを形成しているが、本発明はこの構成に限定されず、化粧板部１２に、側壁面が貫通孔１６に向かって化粧板部１２の板厚を薄くするように波形状に傾斜する窪みを形成してもよい。また、平面視における窪みの形状は、円形状、楕円形状、及び多角形状など、いずれの形状を用いても構わない。
【００７６】
また、前述した各実施形態では、突条２６の幅方向Ｙの両壁面を構成する幅方向Ｙに互いに隣り合う窪みの側壁面の端部同士を連結する構成としているが、本発明はこの構成に限定されず、幅方向Ｙに互いに隣り合う窪みの側壁面の端部同士を、平坦面または排水口９８側へ凸となる湾曲面を介して連結する構成としてもよい。なお、突条２８を構成する長手方向Ｘに互いに隣り合う窪みの側壁面の端部同士を、平坦面または排水口９８側へ凸となる湾曲面を介して連結してもよい。
【００７７】
そして、前述した各実施形態では、浴室９０の洗い場９２の排水受部９６に化粧蓋１０、４０、５０、６０を設置して排水口９８を洗い場９２や浴槽９４から遮蔽する構成としているが、本発明はこの構成に限定されず、例えば、水廻り器具の一例としての台所の、洗い場（流し）の底面に形成された凹状の排水受部に本発明の排水口用化粧蓋を設置して排水受部の底部に形成された排水口を洗い場などから遮蔽する構成としてもよい。
【００７８】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００７９】
１０            排水口用化粧蓋
１２            化粧板部
１２Ａ          表面
１２Ｃ          端部（周壁面の排出口側の端部）
１６            貫通孔
１８            窪み
２０、２２      側壁面
２０Ａ、２２Ａ  端部
２６            突条
３０            リブ
４０            排水口用化粧蓋
４６            リブ
５０            排水口用化粧蓋
５２            窪み
５４、５６      側壁面
６０            排水口用化粧蓋
６２            窪み
９０            浴室
９２            洗い場
９６            排水受部
９６Ａ          底部
９８            排水口
Ｘ              長手方向（長孔の長手方向）
Ｙ              幅方向（長孔の幅方向）
【図１】
0005805972.tif 000002
【図２】
0005805972.tif 000003
【図３】
0005805972.tif 000004
【図４】
0005805972.tif 000005
【図５】
0005805972.tif 000006
【図６】
0005805972.tif 000007
【図７】
0005805972.tif 000008
【図８】
0005805972.tif 000009
【図９】
0005805972.tif 000010
【図１０】
0005805972.tif 000011